(57)【要約】【課題】術者がインスツルメントホルダからハンドピースを取り出す時に、該ハンドピースに設けられている刃物で傷がつくことのないように、更には、引き出されたハンドピースが接続されているインスツルメントホースの外被が隣接するハンドピースに設けられている刃物で傷つけられないようにしたインスツルメント（ハンドピース）を提供する。【解決手段】先端部に刃物１１を有する歯科治療用ハンドピース８において、前記刃物１１を覆うカバー部材１０を前記ハンドピース８と一体的にかつ該ハンドピースに対して摺動可能に有する。カバー部材１０をハンドピース８に沿って矢印Ｆ方向に摺動して前記刃物１１を覆い（図１（Ｂ））、或いは、矢印Ｒ方向に移動して刃物１１を開放する（図１（Ａ））。ハンドピース８がインスツルメントホルダ上に載置されている時は、刃物１１をカバー部１０によって覆っておく。【選択図】図１
2007130196.tif 000002
【特許請求の範囲】
【請求項１】
先端部に刃物を有する歯科治療用ハンドピースにおいて、前記刃物を覆うカバー部材を前記ハンドピースと一体的にかつ該ハンドピースに対して摺動可能に有し、該カバー部材をハンドピースに沿って摺動して前記刃物を覆い、或いは、刃物を開放するようにしたことを特徴とする歯科治療用ハンドピース。
【請求項２】
前記刃物がハンドピースの軸方向に延長して設けられているストレートタイプのハンドピースにおいては、前記カバー部材は、前記ハンドピースの軸方向に摺動可能であることを特徴とする請求項１に記載の歯科治療用ハンドピース。
【請求項３】
前記ハンドピースは、スケーラ用ハンドピースであることを特徴とする請求項２に記載の歯科治療用ハンドピース。
【請求項４】
前記刃物が前記ハンドピースの先端部に設けられているヘッドに設けられているコントラアングルタイプのハンドピースにおいては、前記カバー部材は、前記ヘッドの軸方向に摺動可能であることを特徴とする請求項１に記載の歯科治療用ハンドピース。
【請求項５】
前記ハンドピースは、エアータービンハンドピース又はマイクロエンジンハンドピースであることを特徴とする請求項４に記載の歯科治療用ハンドピース。
【請求項６】
前記ハンドピースは、前記カバー部材によって前記刃物が覆われているか否かを検出するセンサを有することを特徴とする請求項１乃至５のいずれかに記載の歯科治療用ハンドピース。
【請求項７】
前記ハンドピースが載置されるハンドピースホルダは、ハンドピースが載置されているか否かを検出するハンドピース検出手段を有し、ハンドピースがハンドピースホルダに載置されている時に、前記センサが当該ハンドピースのカバー部材が開となっていることを検出した時に、警報を発生するようにしたことを特徴とする請求項６に記載の歯科治療用ハンドピース。
【発明の詳細な説明】
【技術分野】
【０００１】
本発明は、歯科治療用のインスツルメント（ハンドピース）に係り、より詳細には、歯科治療に当り、インスツルメントホルダからインスツルメント（ハンドピース）を取り出す時に、隣接するインスツルメントの先端部に設けられている刃物に術者の手が触れて術者の手指を傷つけたり、或いは、取り出したインスツルメントが接続されているインスツルメントホースが引き出された時に、隣接するインスツルメントに取り付けられている刃物に当たって、引き出されたインスツルメントホースの外被が傷つくのを防止するようにしたインスツルメント（ハンドピース）に関する。
【背景技術】
【０００２】
図３は、本発明が適用される歯科治療用インスツルメント（ハンドピース）を備えた歯科治療ユニットの一例を説明するための要部概略構成図で、歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上記従来の歯科治療ユニットにおいては、インスツルメントホルダ５には複数のインスツルメント（ハンドピース）８が、図示のように、水平にかつ並行状態に載置されており、術者は、この状態で、インスツルメントホルダ５から歯科治療に必要な所望のインスツルメント（ハンドピース）８を取り出して歯科治療を行っている。ハンドピースの先端部には刃物が取り付けられており、ハンドピース８は、通常、この刃物を下向にした状態でインスツルメントホルダ５の上に載置されているが、構造上、必ずしも、下向きに載置されるとは限らず、使用中に、誤って、上向きや横向きに載置されてしまうことがある。
【発明の開示】
【発明が解決しようとする課題】
【０００４】
術者は、上述のごとくしてインスツルメントホルダ５上に載置されたハンドピースを取り出す際、手を略水平方向に移動してハンドピース８のグリップ部を握るが、その際、ハンドピースが刃物を上向き或いは横向きにした状態で載置されていると、手が、グリップ部に到る前に、ハンドピースのヘッド部に設けられている刃物部を通り、その際、刃物に指等が当って傷を受けることがあった。
【０００５】
また、各インスツルメント８は、インスツルメントホース９に接続されており、インスツルメント（ハンドピース）８をインスツルメントホルダ５から引き出した時に、この引き出されたハンドピースに接続されているインスツルメントホース９が隣接するハンドピース８に取り付けられている刃物に当って、その外被を傷つけてしまうことがあった。
【０００６】
本発明は、上述のごとき実情に鑑みてなされたもので、術者がインスツルメントホルダからハンドピースを取り出す時に、該ハンドピースの先端部に設けられている刃物で傷がつくことのないように、更には、引き出されたハンドピースが接続されているインスツルメントホースの外被が隣接するハンドピースの先端部に設けられている刃物で傷つけられないようにしたインスツルメント（ハンドピース）を提供することを目的としてなされたものである。
【課題を解決するための手段】
【０００７】
請求項１の発明は、先端部に刃物を有する歯科治療用ハンドピースにおいて、前記刃物を覆うカバー部材を前記ハンドピースと一体的にかつ該ハンドピースに対して摺動可能に有し、該カバー部材をハンドピースに沿って摺動して前記刃物を覆い、或いは、刃物を開放するようにしたことを特徴としたものである。
【０００８】
請求項２の発明は、請求項１の発明において、前記刃物がハンドピースの軸方向に延長して設けられているストレートタイプのハンドピースにおいては、前記カバー部材は、前記ハンドピースの軸方向に摺動可能であることを特徴としたものである。
【０００９】
請求項３の発明は、請求項２の発明において、前記ハンドピースは、スケーラ用ハンドピースであることを特徴としたものである。
【００１０】
請求項４の発明は、請求項１の発明において、前記刃物が前記ハンドピースの先端部に設けられているヘッドに設けられているコントラアングルタイプのハンドピースにおいては、前記カバー部材は、前記ヘッドの軸方向に摺動可能であることを特徴としたものである。
【００１１】
請求項５の発明は、請求項４の発明において、前記ハンドピースは、エアータービンハンドピース又はマイクロエンジンハンドピースであることを特徴としたものである。
【００１２】
請求項６の発明は、請求項１乃至５のいずれかの発明において、前記ハンドピースは、前記カバー部材によって前記刃物が覆われているか否かを検出するセンサを有することを特徴としたものである。
【００１３】
請求項７の発明は、請求項６の発明において、前記ハンドピースが載置されるハンドピースホルダは、ハンドピースが載置されているか否かを検出するハンドピース検出手段を有し、ハンドピースがハンドピースホルダに載置されている時に、前記センサが当該ハンドピースのカバー部材が開となっていることを検出した時に、警報を発生するようにしたことを特徴としたものである。
【発明の効果】
【００１４】
本発明によると、歯科治療用インスツルメント（ハンドピース）に取り付けられている刃物は、ハンドピースがインスツルメントホルダに載置されている時は、カバー部材によって覆われているので、術者がインスツルメントホルダから所望のハンドピースを引き出そうとして手を伸ばしても、当該ハンドピースの刃物及び隣接するハンドピースの刃物に手指が触れるようなことはなく、従って、術者の手指に傷がつくような恐れはなく、また、引き出されたハンドピースが接続されているインスツルメントホースも、隣接するハンドピースに取り付けられている刃物に触れることはなく、従って、インスツルメントホースの外被が破損するような恐れもない。
【発明を実施するための最良の形態】
【００１５】
本発明は、先端部に刃物を有する歯科治療用ハンドピースにおいて、前記刃物を覆うカバー部材を前記ハンドピースと一体的にかつ該ハンドピースに対して摺動可能に有し、該カバー部材をハンドピースに沿って摺動して前記刃物を覆い、或いは、刃物を開放するようにし、これによって、術者がハンドピースをインスツルメントホルダから引き出す時に、ハンドピースの先端部に設けられている刃物に術者の手指が触れて傷つくような恐れがなく、また、引き出されたハンドピースが接続されているインスツルメントホースが隣接するハンドピースに取り付けられている刃物に触れて該インスツルメントホースの外被が傷つく恐れもない。
【００１６】
図１は、本発明を、超音波スケーラ等の刃物１１がハンドピース８の先端部から該ハンドピース８の軸方向に延長しているストレートタイプのハンドピースに適用した場合の実施例を説明するための概略構成図で、図中、８は歯科治療用ハンドピースの一例として超音波スケーラを示すが、この超音波スケーラ８は、先端部にスケーラチップ（刃物）１１を有する。この刃物１１は、図示のように、ハンドピース８の先端部に、該ハンドピース８の軸方向に延長して設けられている。１０は、上述のごとき、ストレートタイプのハンドピースに取り付けて、該ハンドピースの先端部に取り付けられている刃物１１を覆うためのカバー部材で、該カバー部１０は、好ましくは、円筒体で構成され、ハンドピース８上を該ハンドピース８の軸方向（矢印Ｒ，Ｆの方向）に移動可能に取り付けられている。
【００１７】
図１（Ａ）は、カバー部材１０が矢印Ｒ方向に移動されて、ハンドピース８の先端部に設けられている刃物１１が開放され、該刃物１１にて所望の歯科治療を行うことができるようになっている状態を示す。図１（Ｂ）は、カバー部材１０が矢印Ｆ方向に移動され、該カバー部材１０によって、刃物（チップ）１１を覆っている状態を示す。
【００１８】
本発明においては、上述のように、ハンドピース８は、該ハンドピース８の刃物１１を覆うカバー部材１０を一体的に有し、ハンドピースをハンドピースホルダに保持している時は、図１（Ｂ）に示すように、カバー部材１０を矢印Ｆ方向に移動して刃物１１をカバー部材１０によって覆った状態にし、ハンドピースをハンドピースホルダから取り出す時に、術者の手指が、当該ハンドピース或いは隣接するハンドピースの刃物に触れないようにし、ハンドピース８をハンドピースホルダ５から取り出した後に、該カバー部材１０を移動することによって、図１（Ａ）に示すように、刃物１１をカバー部材１０から開放した状態にして、従前通りの歯科治療を行うことを可能にしている。
【００１９】
図２は、本発明を、エアータービン、マイクロエンジン等の刃物１１がハンドピース８の先端のヘッド部１２に設けられているコントラアングルタイプのハンドピースに適用した場合の実施例を説明するための概略構成図で、この場合には、カバー部材１０は、ヘッド部１２の軸方向に移動可能に設けられている。図２（Ａ）は、カバー部材１０を矢印Ｒ方向に動かして、刃物（バー）１１を開放状態にして、歯科治療を可能にした状態を示している。図２（Ｂ）は、カバー部材１０を矢印Ｆ方向に移動して、刃物（バー）１１を覆うようにした状態を示し、図２（Ｂ）に示した状態において、ハンドピース８は、ハンドピースホルダ５上に載置されており、これによって、術者がハンドピースホルダ上のハンドピースを取ろうとして手を伸ばしても、その際に、刃物１１が術者の手指に触れるような恐れはなく、また、引き出したハンドピースに接続されているインスツルメントホースが隣接するハンドピースの刃物に当って損傷するような恐れもない。
【００２０】
以上に説明したハンドピースは、該ハンドピースに取り付けられている刃物を開閉するためのカバー部材を一体的に設け、該カバー部材を手動にて摺動（移動）させて、該刃物を開放し或いは覆うようにしたものであるが、カバー部材１０にて刃物１１を閉じることなく、換言すれば、カバー部材１０を閉じるのを忘れてインスツルメントホルダにハンドピースが置かれている場合には、所期の目的を十分に達成することができず、依然として、術者が傷ついたり、インスツルメントホースの外被を傷つける恐れがある。
【００２１】
このような問題を解決するためには、ハンドピース８にカバー部材１０が開かれているか閉じられているかを検知するセンサを設けておき、ハンドピース８がインスツルメントホルダ５に置かれている時に、該センサによって、カバー部材１０が開かれているのが検知された時に、警報を発するようにすればよい。なお、ハンドピースがインスツルメントホルダに載置されているか否かを検出するセンサは、通常のインスツルメントホルダでは備えられており、本発明の実施のために特別に準備する必要はない。
【図面の簡単な説明】
【００２２】
【図１】本発明をストレートタイプのハンドピースに適用した場合の一実施例を説明するための図である。
【図２】本発明をコントラアングルタイプのハンドピースに適用した場合の一実施例を説明するための図である。
【図３】本発明が適用されるハンドピースを備えた歯科治療ユニットの概略構成図である。
【符号の説明】
【００２３】
８…ハンドピース、９…インスツルメントホース、１０…カバー部材、１１…刃物（チップ，バー）、１２…ヘッド部。
【図１】
2007130196.tif 000003
【図２】
2007130196.tif 000004
【図３】
2007130196.tif 000005